(57)【要約】【課題】  容器に取り付けることによって、容器中に雨水や粉塵が入り込んだり塗料が乾燥したりするのを防止でき、しかも、容器に対して極めて簡単に取り扱うことができる、容器用キャップ、を提供すること。【解決手段】  上開きの開口８１１を有する容器８に用いられ、開口８１１を上方から覆うように塞ぐ、容器用キャップ１０であって、開口１１を有し且つ柔軟な防水性材料からなる、袋体１と、袋体１の開口１１を解除可能に絞る、絞り手段２と、で構成されており、袋体１の開口１１を容器８の開口８１１に対して上方から覆うように被せて、袋体１の開口１１を容器８の外周面に沿わせた状態で絞り手段２によって絞ることにより、袋体１を容器８に取り付けるようになっていることを特徴としている。【選択図】図３
2006315732.tif 000002
【特許請求の範囲】
【請求項１】
上開きの開口を有する容器に用いられ、該開口を上方から覆うように塞ぐ、容器用キャップであって、
開口を有し且つ柔軟な防水性材料からなる、袋体と、
袋体の開口を解除可能に絞る、絞り手段と、で構成されており、
袋体の開口を容器の開口に対して上方から覆うように被せて、袋体の開口を容器の外周面に沿わせた状態で絞り手段によって絞ることにより、袋体を容器に取り付けるようになっていることを特徴とする容器用キャップ。
【請求項２】
容器が、開口を横断して設けられたアーチ状の取っ手を、有しているものであり、
袋体が、
略ドーム状に膨らむ形態を有するものであり、容器に取り付けた際に取っ手に沿って袋体の開口を横断する第１横断方向の寸法と、袋体の底部中央を通って第１横断方向に対して略直交し且つ袋体の開口を横断する第２横断方向の寸法とで、規定される大きさを有するものであり、
第１横断方向の寸法が、袋体を容器に取り付けた際において、袋体が立設状態の取っ手に沿って膨らんだ状態となる、長さに、設定されており、
第２横断方向の寸法が、袋体を容器に取り付けた際において、袋体が第２横断方向に取っ手と共に把持できる袋体の部分を有する状態となる、長さに、設定されている、請求項１記載の容器用キャップ。
【請求項３】
防水性材料が、透明である、請求項１記載の容器用キャップ。
【請求項４】
袋体に、第１横断方向を示す印が付してある、請求項２記載の容器用キャップ。
【請求項５】
容器が、塗料容器である、請求項１記載の容器用キャップ。
【発明の詳細な説明】
【技術分野】
【０００１】
本発明は、上開きの開口を有する容器に用いられ、該開口を上方から覆うように塞ぐ、容器用キャップに関するものである。容器としては、例えば、塗料を収容している塗料容器が挙げられる。
【背景技術】
【０００２】
塗料容器としては、例えば図１０に示されるものが知られている。この塗料容器９は、容器本体９１、取っ手９２、及び蓋９３からなっている。容器本体９１は、上開きの開口９１１を有している。取っ手９２は、開口９１１を横断して設けられており、容器本体９１を吊って持ち運ぶことができるように設けられている。蓋９３は、容器９の不使用時や運搬時に、開口９１１を塞ぐのに用いられる。特許文献１には、容器９と類似形状の容器が示されており、該容器では、収容されている塗料の色及び残量を認識できるようにするために、透明材料からなる蓋が用いられている。
【０００３】
【特許文献１】特開２００５−１５０５７号公報
【発明の開示】
【発明が解決しようとする課題】
【０００４】
上述の容器９は、次のように使用している。すなわち、塗装作業を開始する際には、蓋９３を、容器本体９１から取り外して、塗装作業の邪魔にならない場所や蓋９３が汚れにくい場所に、置く。そのような置き場所を選定する作業は、思案を要するので、煩雑である。次に、塗装作業を中断する際には、容器９中に雨水や粉塵が入り込むのを防止するために、また、塗料が乾燥するのを防止するために、蓋９３を容器本体９１に取り付ける。この蓋９３の取付作業は、蓋９３が開口９１１をずれの無いように塞ぐよう、丁寧に行う必要があるので、煩雑である。そして、塗装作業を再開する際には、蓋９３を、再び、容器本体９１から取り外して、塗装作業の邪魔にならない場所や蓋９３が汚れにくい場所に、置く。
【０００５】
このように、上述の容器９を使用する際には、蓋９３の取り扱いが煩雑であるという問題がある。
【０００６】
本発明は、容器に取り付けることによって、容器中に雨水や粉塵が入り込んだり塗料が乾燥したりするのを防止でき、しかも、容器に対して極めて簡単に取り扱うことができる、容器用キャップ、を提供することを目的とする。
【課題を解決するための手段】
【０００７】
請求項１記載の発明は、上開きの開口を有する容器に用いられ、該開口を上方から覆うように塞ぐ、容器用キャップであって、開口を有し且つ柔軟な防水性材料からなる、袋体と、袋体の開口を解除可能に絞る、絞り手段と、で構成されており、袋体の開口を容器の開口に対して上方から覆うように被せて、袋体の開口を容器の外周面に沿わせた状態で絞り手段によって絞ることにより、袋体を容器に取り付けるようになっていることを特徴としている。
【０００８】
請求項２記載の発明は、請求項１記載の発明において、容器が、開口を横断して設けられたアーチ状の取っ手を、有しているものであり、袋体が、略ドーム状に膨らむ形態を有するものであり、容器に取り付けた際に取っ手に沿って袋体の開口を横断する第１横断方向の寸法と、袋体の底部中央を通って第１横断方向に対して略直交し且つ袋体の開口を横断する第２横断方向の寸法とで、規定される大きさを有するものであり、第１横断方向の寸法が、袋体を容器に取り付けた際において、袋体が立設状態の取っ手に沿って膨らんだ状態となる、長さに、設定されており、第２横断方向の寸法が、袋体を容器に取り付けた際において、袋体が第２横断方向に取っ手と共に把持できる袋体の部分を有する状態となる、長さに、設定されているものである。
【０００９】
請求項３記載の発明は、請求項１記載の発明において、防水性材料が、透明であるものである。
【００１０】
請求項４記載の発明は、請求項２記載の発明において、袋体に、第１横断方向を示す印が付してあるものである。
【００１１】
請求項５記載の発明は、請求項１記載の発明において、容器が、塗料容器であるものである。
【発明の効果】
【００１２】
請求項１記載の発明によれば、袋体を容器に被せて絞り手段によって絞るだけで、容器の開口を塞ぐことができ、また、絞り手段による絞りを緩めて袋体を容器から取り外すだけで、容器の開口を開放できるので、極めて簡単に、容器の開口を塞いだり開放したりすることができる。したがって、容器に対して極めて簡単に取り扱うことができ、従来における蓋の取り扱いに関わる煩雑さを解消できる。
【００１３】
また、袋体は、柔軟な材料からなっているので、小さく折り畳むことができる。それ故、容器から取り外した容器用キャップは、狭い場所でも置くことができる。したがって、容器用キャップの置き場所についての選択の自由度を、大きくでき、それ故、置き場所を選定する煩雑さを解消できる。
【００１４】
更に、袋体の内側に粉塵等が付着すると、容器に容器用キャップを取り付けた際にその粉塵等が容器中に落ちて容器の内容物を汚染することになるが、袋体は、内側を露出させないまま置いておくことができるので、袋体の内側に粉塵等が付着するのを防止できる。したがって、容器用キャップを取り付けた際に容器の内容物が汚染されるのを、防止できる。しかも、容器用キャップは、袋体の内側に粉塵等が付着するのを気にすることなく、置き場所を選定できるので、この点からも、容器用キャップの置き場所についての選択の自由度を、大きくでき、それ故、置き場所を選定する煩雑さを解消できる。
【００１５】
請求項２記載の発明によれば、第１横断方向を取っ手に沿わせた状態で、第２横断方向の袋体の部分と共に取っ手を把持できる。したがって、容器を持ち運ぶ際に容器用キャップを取り外す必要はない。
【００１６】
しかも、第２横断方向の寸法は、取っ手と共に把持できる部分を有する長さ、すなわち、把持するための余分の部分を有する長さ、に設定されているので、袋体を取っ手と共に把持しても、袋体の第２横断方向の両端部分がずり上がることはない。したがって、容器用キャップを容器に取り付けたままで取っ手を把持したり離したりすることを、支障なく繰り返し行うことができる。
【００１７】
更に、袋体は取っ手の上から被せるので、容器用キャップが容器の開口の中に入り込むのを防止できる。したがって、容器用キャップの開口の周縁部が容器の内容物によって汚れるのを、防止できる。
【００１８】
請求項３記載の発明によれば、容器の内容物の状態、例えば、内容物が塗料の場合には塗料の色や残量を、一見して認識することができる。
【００１９】
請求項４記載の発明によれば、容器に取り付ける際に、第１横断方向を取っ手に容易に沿わせることができる。したがって、容器用キャップを容器に容易に且つ適正に取り付けることができる。
【００２０】
請求項５記載の発明によれば、塗装作業の開始、中断、再開等の各段階において容器の開口を容易に塞いだり開放したりすることができるので、塗装作業の上記各段階を、煩雑な思いをすることなく、行うことができる。
【発明を実施するための最良の形態】
【００２１】
（実施形態１）
図１は、実施形態１に係る容器用キャップ１０の全体斜視図である。キャップ１０は、袋体１と絞り手段２とで構成されている。袋体１は、下側に開口１１を有しており、柔軟で透明な防水性材料で形成されている。絞り手段２は、開口１１を解除可能に絞るよう設けられている。絞り手段２は、ここでは、伸縮自在な輪ゴムを開口１１に沿うように設けて構成されている。
【００２２】
図２は、キャップ１０の使用対象である容器の一例を示す全体斜視図である。この容器８は、容器本体８１及び取っ手８２からなっており、内容物が塗料である塗料容器である。容器本体８１は、上開きの開口８１１を有する有底略円筒体である。取っ手８２は、開口８１１を横断して円弧状に設けられており、容器本体８１を吊って持ち運ぶことができるように設けられている。取っ手８２は、矢印Ａ及びＢ方向に回動できるようになっており、容器本体８１を吊る場合には図２のように立設状態にされる。容器８の大きさは、例えば、開口８１１の直径Ｄが１７５ｍｍ、高さＨが１４５ｍｍ、容量が２．５リットルである。
【００２３】
図３は、キャップ１０を容器８に取り付けた状態を示す全体斜視図である。この状態において、袋体１は、開口１１が容器８の開口８１１を上方から覆って、容器８に被せられている。このとき、袋体１は、立設状態にされている取っ手８２も、上方から覆っている。そして、袋体１の開口１１は、容器本体８１の外周面に沿った状態で、絞り手段２によって絞られている。これにより、袋体１が容器８に固定されている。すなわち、キャップ１０が容器８に取り付けられている。
【００２４】
そして、キャップ１０は、更に、次の構成を有している。
【００２５】
図３、図３のIV矢視図である図４、及び図３のＶ矢視図である図５に示すように、袋体１は、略ドーム状に膨らむ形態を有している。袋体１は、容器８に取り付けた際に取っ手８２に沿って開口１１を横断する第１横断方向Ｘの寸法Ｌ１と、袋体１の底部１ａの中央を通って第１横断方向Ｘに対して略直交し且つ開口１１を横断する第２横断方向Ｙの寸法Ｌ２とで、規定される大きさを有している。
【００２６】
第１横断方向Ｘの寸法Ｌ１は、袋体１を容器８に取り付けた際において、袋体１が立設状態の取っ手８２に沿って膨らんだ状態となる、長さに、設定されている。具体的には、寸法Ｌ１は、図５に示すように、袋体１を容器８に取り付けた際において、袋体１の開口１１（位置Ｐ１）から容器本体８１の開口８１１の縁（位置Ｐ２）までの距離Ｌ１１と取っ手８２の両端間（位置Ｐ２と位置Ｐ３との間）の長さＬ１２とを用いて表すと、（Ｌ１１×２＋Ｌ１２）と同等か僅かに大きい程度である。
【００２７】
第２横断方向Ｙの寸法Ｌ２は、袋体１を容器８に取り付けた際において、袋体１が第２横断方向Ｙに取っ手８２と共に袋体１を把持できる部分を有する状態となる、長さに、設定されている。具体的には、寸法Ｌ２（図４）は、図６に示すように取っ手８２を袋体１と共に手１００で把持するために取っ手８２と共に握り込まれる袋体１の部分の寸法Ｌ２１と、上述のＬ１１（図４、図５）と、第２横断方向Ｙに位置する開口８１１の縁Ｐ４から立設状態の取っ手８２の頂部Ｐ５までの距離Ｌ２２（図４）とを用いて表すと、（Ｌ１１×２＋Ｌ２２×２＋Ｌ２１）と同等以上のものである。
【００２８】
なお、袋体１の開口１１の円周長さは、容器８の開口８１１の円周長さより大きく設定されている。また、絞り手段２を構成する輪ゴムは、平常時（収縮時）の長さが開口８１１の円周長さより小さく、最大伸長時の長さが開口８１１の円周長さより大きく設定されている。
【００２９】
更に、袋体１には、第１横断方向Ｘを示す印１２、１３が付してある。印１２、１３は第１横断方向Ｘに平行に付されている。
【００３０】
キャップ１０は、次のようにして製作する。すなわち、図７に示すように、まず、２枚の略半円状で略同じ大きさのシート材１５、１６を用意する。シート材１５、１６の周縁は、それぞれ、円弧部１５１、１６１と直線部１５２、１６２とからなっている。シート材の材質は、例えばナイロンや塩化ビニルである。次に、シート材１５とシート材１６とを相互に円弧部１５１、１６１にて接合する。接合は、例えば接着剤や熱溶着により行う。そして、輪状に繋がった直線部１５２、１６２からなる開口１１に、絞り手段２を設ける。具体的には、輪ゴム２１を開口１１に沿って取り付ける。これにより、キャップ１０が出来上がる。
【００３１】
なお、シート材１５には、印１２、１３の半分を構成する印部１２１、１３１が付されており、シート材１６には、印１２、１３の他の半分を構成する印部１２２、１３２が付されており、これらの印部は、シート材１５とシート材１６とが接合されると、一体となって、印１２、１３となる。
【００３２】
上記構成のキャップ１０は、袋体１の開口１１を容器８の開口８１１に対して上方から覆うように被せて、袋体１の開口１１を容器本体８１の外周面に沿わせた状態で絞り手段２によって絞ることにより、容器８に取り付けられる。すなわち、袋体１を容器８に被せて絞り手段２によって絞るだけで、容器８の開口８１１を塞ぐことができる。また、キャップ１０は、絞り手段２による絞りを緩めて袋体１を容器８から取り外すだけで、容器８の開口８１１を開放できる。したがって、キャップ１０によれば、極めて簡単に、容器８の開口８１１を塞いだり開放したりすることができる。すなわち、キャップ１０は、容器８に対して極めて簡単に取り扱うことができる。それ故、従来における蓋の取り扱いに関わる煩雑さを解消できる。
【００３３】
また、袋体１は、柔軟な材料からなっているので、小さく折り畳むことができる。それ故、容器８から取り外したキャップ１０は、狭い場所でも置くことができる。したがって、キャップ１０の置き場所についての選択の自由度を、大きくでき、それ故、置き場所を選定する煩雑さを解消できる。
【００３４】
更に、袋体１は、内側を露出させないまま置いておくことができるので、袋体１の内側に粉塵等が付着するのを防止できる。したがって、キャップ１０を取り付けた際に容器８の内容物が袋体１の内側に付着した粉塵等によって汚染されるのを、防止できる。しかも、キャップ１０は、袋体１の内側に粉塵等が付着するのを気にすることなく、置き場所を選定できるので、この点からも、キャップ１０の置き場所についての選択の自由度を、大きくでき、それ故、置き場所を選定する煩雑さを解消できる。
【００３５】
また、上記構成のキャップ１０は、第１横断方向Ｘを取っ手８２に沿わせるように容器８に取り付けた場合に、第２横断方向Ｙの寸法Ｌ２が上述の寸法Ｌ２１を有する長さに設定されているので、袋体１の第２横断方向Ｙに沿った部分と共に取っ手８２を手１００で把持できる。したがって、容器８を持ち運ぶ際にキャップ１０を取り外す必要はない。
【００３６】
しかも、第２横断方向Ｙの寸法Ｌ２が上述の寸法Ｌ２１を有する長さに設定されているので、袋体１を取っ手８２と共に把持しても、袋体１の第２横断方向Ｙの両端部分が引っ張られてずり上がることはない。したがって、取っ手８２を把持したり離したりすることを支障なく繰り返し行うことができる。
【００３７】
キャップ１０を被せたままの状態で取っ手８２を把持し、容器８を持ち運ぶことができるという効果は、略ドーム状にふくらむ形態で、寸法（特に第２横断方向Ｙの寸法Ｌ２）に関する上記条件を満たす袋体１を、用意したことに起因するものであり、袋体１に取っ手５１を握るための特別な加工部分を設けたからでは無い。したがって、袋体１を形成するシート材１５、１６には、取っ手５１を握るために特別な表面加工を施していないシートを用いることができ、この意味において、キャップ１０の製造コストを抑えることができるという利点を持つ。
【００３８】
更に、袋体１は取っ手８２の上から被せるので、キャップ１０が容器８の開口８１１の中に入り込むのを防止できる。したがって、キャップ１０の開口１１の周縁部が容器８の内容物によって汚れるのを、防止できる。
【００３９】
また、上記構成のキャップ１０によれば、袋体１が透明な材料で形成されているので、容器８の内容物の状態、例えば、塗料の色や残量を、一見して認識することができる。
【００４０】
また、上記構成のキャップ１０によれば、袋体１に印１２、１３が付されているので、容器８に取り付ける際に、第１横断方向Ｘを取っ手８２に容易に沿わせることができる。したがって、キャップ１０を容器８に容易に且つ適正に取り付けることができる。
【００４１】
更に、上記構成のキャップ１０によれば、塗装作業の開始、中断、再開等の各段階において容器８の開口８１１を容易に塞いだり開放したりすることができるので、塗装作業の上記各段階を、煩雑な思いをすることなく、行うことができる。
【００４２】
また、絞り手段２として輪ゴム２１を用いているので、次のような作用効果を奏する。
（１）開口１１を絞ったり緩めたりすることが容易である。したがって、この点からも、キャップ１０は、容器８に容易に取り付けることができる。
（２）容器８の形態が円筒以外のものであっても、その形態に柔軟に対応して、開口１１を絞って、容器８に固定できる。
【００４３】
なお、容器８の寸法Ｌ１１の部分に対応する、袋体１の部分の、長さは、キャップ１０を、開口１１の周縁部を掴んで容器８に取り付ける際に、掴みやすいだけの長さに、設定すればよい。
【００４４】
また、袋体１は、半透明又は不透明な材料で形成してもよい。
【００４５】
また、取っ手８２は、２本を束ねて１つの取っ手として使用する形態のものでもよい。
【００４６】
（実施形態２）
図８は、実施形態２に係る容器用キャップ１０Ａの全体斜視図である。このキャップ１０Ａは、図９に示すように、左右の手でそれぞれ把持する２つの取っ手８２Ａ、８２Ｂを有する容器８Ａに使用するものである。なお、図８及び図９において、実施形態１のキャップ１０と同じ又は相当する部分には同一符号を付している。
【００４７】
キャップ１０Ａは、次の点のみが実施形態１のキャップ１０と異なっている。
（１）袋体１の大きさを規定する第１横断方向Ｘの寸法が、取っ手８２Ａと取っ手８２Ｂとにそれぞれ沿った２つの箇所において、設定されている。よって、印１２、１３も２組有している。
（２）第２横断方向Ｙの寸法が、実施形態１の寸法Ｌ２１の２つ分を有するように、設定されている。
【００４８】
キャップ１０Ａによっても、取っ手８２Ａと取っ手８２Ｂとを袋体１と共に把持でき、また、その際、袋体１の第２横断方向Ｙの両端部分がずり上がることはない。
【００４９】
キャップ１０Ａによれば、更に、実施形態１のキャップ１０と同様の作用効果を発揮できる。
【図面の簡単な説明】
【００５０】
【図１】実施形態１に係る容器用キャップの全体斜視図である。
【図２】実施形態１の容器用キャップの使用対象である容器の一例を示す全体斜視図である。
【図３】実施形態１の容器用キャップを容器に取り付けた状態を示す全体斜視図である。
【図４】図３のIV矢視図である。
【図５】図３のＶ矢視図である。
【図６】実施形態１の容器用キャップを容器に取り付けたままで取っ手を把持した状態を示す側面図である。
【図７】実施形態１の容器用キャップの分解正面図である。
【図８】実施形態２に係る容器用キャップの正面図である。
【図９】実施形態２の容器用キャップを容器に取り付けた状態を示す全体斜視図である。
【図１０】従来の塗料容器を示す全体斜視図である。
【符号の説明】
【００５１】
１  袋体  １１  開口  １２、１３  印  ２  絞り手段  ８  容器  ８２、８２Ａ、８２Ｂ  取っ手  １０、１０Ａ  キャップ
【図１】
2006315732.tif 000003
【図２】
2006315732.tif 000004
【図３】
2006315732.tif 000005
【図４】
2006315732.tif 000006
【図５】
2006315732.tif 000007
【図６】
2006315732.tif 000008
【図７】
2006315732.tif 000009
【図８】
2006315732.tif 000010
【図９】
2006315732.tif 000011
【図１０】
2006315732.tif 000012